(57)【要約】      （修正有）【課題】キーワードに基づいて共通関心事ネットワークを形成することにより、ユーザがリアルタイムで他のユーザと情報を共有することができる情報共有システム及び情報共有法を提供する。【解決手段】ユーザが入力したキーワードを受信し１２１０、キーワードの入力に応答して、キーワードと関連する共通関心事ネットワークが生成されているか否かを判断し１２２０、共通関心事ネットワークが存在しないことが判断されると、キーワードに関連する共通関心事ネットワークを生成し１２３０、キーワードを含む共通コンテンツを探索及び／又は生成し１２４０、共通コンテンツを前記共通関心事ネットワークにリアルタイムで提供する１２５０。【選択図】図１２
2016173818.tif 000002
【特許請求の範囲】
【請求項１】
ユーザが入力したキーワードを受信し、
前記キーワードの入力に応答して、前記キーワードと関連する共通関心事ネットワークが生成されているか否かを判断し、
前記共通関心事ネットワークが存在しないことが判断されると、前記キーワードに関連する共通関心事ネットワークを生成し、
前記キーワードを含む共通コンテンツを探索及び／又は生成し、
前記共通コンテンツを前記共通関心事ネットワークにリアルタイムで提供すること
を含む、情報共有方法。
【請求項２】
前記共通コンテンツを前記共通関心事ネットワークにリアルタイムで提供することは、
前記共通関心事ネットワークに、前記ユーザが入力したキーワードに対応して探索された共通コンテンツおよび／又は前記ユーザがコンテンツ生成インターフェースを利用して生成した共通コンテンツを提供出力する段階
を含む、請求項１に記載の情報共有方法。
【請求項３】
前記共通コンテンツを前記共通関心事ネットワークにリアルタイムで提供することは、
前記コンテンツ生成インターフェースを提供し、前記ユーザが前記コンテンツ生成インターフェースに入力したコンテンツ生成情報に基づいて前記共通コンテンツを生成して前記共通関心事ネットワークに提供すること
を含む、請求項２に記載の情報共有方法。
【請求項４】
前記共通コンテンツを前記共通関心事ネットワークにリアルタイムで提供することは、
前記共通コンテンツのうち、前記ユーザが選択した共通コンテンツに関する詳細ページを提供し、前記ユーザの意見を共有するように提供すること
を含む、請求項２に記載の情報共有方法。
【請求項５】
前記共通コンテンツを前記共通関心事ネットワークにリアルタイムで提供することは、
前記ユーザが選択した共通コンテンツの詳細ページに前記ユーザの意見を共有する意見共有インターフェースを提供し、前記ユーザが意見共有インターフェースに入力した意見を、前記詳細ページの一定の領域に前記共通コンテンツに関する情報と共に提供すること
を含む、請求項４に記載の情報共有方法。
【請求項６】
前記共通コンテンツを前記共通関心事ネットワークにリアルタイムで提供することは、
それぞれの前記共通コンテンツに対して前記共通コンテンツが生成された時間、前記共通コンテンツが消える時間、および前記共通コンテンツに対して前記ユーザが推薦した回数を提供すること
を含む、請求項２に記載の情報共有方法。
【請求項７】
前記共通コンテンツを前記共通関心事ネットワークにリアルタイムで提供することは、
それぞれの前記共通コンテンツに対し、前記共通コンテンツが表示された時間を基準として一定の速度で減少するゲージバーを提供することを含み、
前記ゲージバーは、
前記ユーザが入力したキーワードに対する共通コンテンツが作成される速度の増加に基づいて、一定基準以上の速度で減少する
、請求項２に記載の情報共有方法。
【請求項８】
前記共通コンテンツを前記共通関心事ネットワークにリアルタイムで提供することは、
前記共通コンテンツが消える時間が近付く間または前記共通コンテンツに対するゲージバーが減少する間に、前記ユーザが前記共通コンテンツに対する推薦を選択した場合、前記推薦された共通コンテンツを再度提供すること
を含む、請求項６または７に記載の情報共有方法。
【請求項９】
前記共通コンテンツを前記共通関心事ネットワークにリアルタイムで提供することは、
前記ユーザが入力したキーワードに対応する検索結果を提供し、前記検索結果を含む検索結果領域のうちの一部の領域に、前記共通関心事ネットワークに該当する共通コンテンツをランキング順に提供すること
を含む、請求項２に記載の情報共有方法。
【請求項１０】
前記キーワードを含む共通コンテンツを探索することは、
前記入力されたキーワードに対応する前記共通コンテンツが存在するか否かを判断し、前記探索された共通コンテンツから予め設定された基準に基づいて共通コンテンツを抽出すること
を含む、請求項１に記載の情報共有方法。
【請求項１１】
請求項１乃至請求項１０に記載の方法をコンピュータに実行させるためのプログラム。
【請求項１２】
コンピュータシステムが情報を共有するように制御する命令を含むコンピュータで読み取り可能な媒体であって、
前記命令は、
ユーザが入力したキーワードを受信し、
前記キーワードの入力に応答して、前記キーワードと関連する共通関心事ネットワークが生成されているか否かを判断し、
前記共通関心事ネットワークが存在しないことが判断されると、前記キーワードに関連する共通関心事ネットワークを生成し、
前記キーワードを含む共通コンテンツを探索及び／又は生成し、
前記共通コンテンツを前記共通関心事ネットワークにリアルタイムで提供すること
を含む方法によって前記コンピュータシステムを制御する、コンピュータで読み取り可能な格納媒体。
【請求項１３】
ユーザが入力したキーワードを受信する受信部、
前記キーワードの入力に応答して、前記キーワードと関連する共通関心事ネットワークが生成されているか否かを判断する判断部、
前記共通関心事ネットワークが存在しないことが判断されると、前記キーワードに関連する共通関心事ネットワークを生成する生成部、
前記キーワードを含む共通コンテンツを探索する探索部、および
前記探索された共通コンテンツ及び又は生成した共通コンテンツを前記共通関心事ネットワークにリアルタイムで提供する提供部
を備える、情報共有システム。
【請求項１４】
前記提供部は、
コンテンツ生成インターフェースを提供し、
前記ユーザが前記コンテンツ生成インターフェースに入力したコンテンツ生成情報に基づいて共通コンテンツを生成し、
前記生成した共通コンテンツを前記共通関心事ネットワークに提供する
ことを特徴とする、請求項１３に記載の情報共有システム。
【請求項１５】
前記提供部は、
前記共通コンテンツのうち、前記ユーザが選択した共通コンテンツに関する詳細ページを提供し、前記ユーザの意見を共有するように提供する
ことを特徴とする、請求項１４に記載の情報共有システム。
【請求項１６】
前記提供部は、
前記ユーザが選択した共通コンテンツの詳細ページに前記ユーザの意見を共有する意見共有インターフェースを提供し、前記ユーザが意見共有インターフェースに入力した意見を、前記詳細ページの一定の領域に前記共通コンテンツに関する情報と共に提供する
ことを特徴とする、請求項１５に記載の情報共有システム。
【請求項１７】
前記提供部は、
それぞれの前記共通コンテンツに対して前記共通コンテンツが生成された時間、前記共通コンテンツが消える時間、および前記共通コンテンツに対して前記ユーザが推薦した回数を提供する
ことを特徴とする、請求項１４に記載の情報共有システム。
【請求項１８】
前記提供部は、
それぞれの前記共通コンテンツに対し、前記共通コンテンツが表示された時間を基準として一定の速度で減少するゲージバーを提供し、
前記ゲージバーは、
前記ユーザが入力したキーワードに対する共通コンテンツが作成される速度の増加に基づいて一定基準以上の速度で減少する
ことを特徴とする、請求項１４に記載の情報共有システム。
【請求項１９】
前記提供部は、
前記共通コンテンツが消える時間が近付く間または前記共通コンテンツに対するゲージバーが減少する間に、前記ユーザから前記共通コンテンツに対する推薦が選択された場合、前記推薦された共通コンテンツを再度提供する
ことを特徴とする、請求項１６または１７に記載の情報共有システム。
【請求項２０】
前記提供部は、
前記ユーザが入力したキーワードに対応する検索結果を提供し、前記検索結果を含む検索結果領域のうちの一部の領域に、前記共通関心事ネットワークに該当する共通コンテンツをランキング順に提供する
ことを特徴とする、請求項１３に記載の情報共有システム。
【請求項２１】
前記探索部は、
前記入力されたキーワードに対応する前記共通コンテンツが存在するか否かを判断し、前記探索された共通コンテンツから予め設定された基準に基づいて共通コンテンツを抽出する
ことを特徴とする、請求項１３に記載の情報共有システム。
【発明の詳細な説明】
【技術分野】
【０００１】
本発明は、特定のキーワードに関する情報を提供する技術に関し、より詳細には、ユーザ間で情報を共有する方法およびシステムに関する。
【背景技術】
【０００２】
最近では、インターネットが普及するにつれ、ネットワーク網を介して情報が共有されるようになってきている。このような変化に対応し、インターネットを利用した情報検索が増加している。検索サイトは、キーワードを入力する入力ウィンドウをユーザに提供し、入力ウィンドウに入力されたキーワードに基づいてインターネット上に存在する情報を検索することにより、ユーザが必要とする情報を提供している。
【０００３】
特許文献１では、検索システムおよびその方法について開示している。しかし、このような従来の技術は、無分別に情報が提供されるインターネット環境において、ユーザに適切な検索結果を提供することは容易ではなく、ユーザは提供された検索結果に基づいてユーザが意図とする結果を再度検索しなければならない。そのため、ユーザは所望する検索結果を得るために長い時間が必要となる。
【０００４】
また、ユーザが所望する検索結果が得られるだけでなく、リアルタイムでユーザが検索したキーワードに対応するネットワーク環境を提供し、共通関心事を共有できるように提供する必要がある。
【先行技術文献】
【特許文献】
【０００５】
【特許文献１】韓国公開特許第１０−２００２−００１７７７７号公報
【発明の概要】
【発明が解決しようとする課題】
【０００６】
キーワードに基づいて共通関心事ネットワークを形成することにより、ユーザがリアルタイムで情報を共有することができる空間を提供することを目的とする。
【０００７】
共通関心事ネットワークで生成されたコンテンツをリアルタイムで選別してランキングを決める方法を提供することをさらなる目的とする。
【課題を解決するための手段】
【０００８】
本発明の一実施形態に係る情報を共有する方法において、ユーザが入力したキーワードを受信し、前記キーワードの入力に応答して、前記キーワードと関連する共通関心事ネットワークが生成されているか否かを判断し、前記共通関心事ネットワークが存在しないことが判断されると、前記キーワードに関連する共通関心事ネットワークを生成し、前記キーワードを含む共通コンテンツを探索及び／又は生成し、前記共通コンテンツを前記共通関心事ネットワークにリアルタイムで提供することを含む。
【０００９】
前記共通コンテンツを前記共通関心事ネットワークにリアルタイムで提供することは、前記共通関心事ネットワークに、前記ユーザが入力したキーワードに対応して探索された共通コンテンツおよび／又は前記ユーザがコンテンツ生成インターフェースを利用して生成した共通コンテンツを提供することを含んでもよい。
【００１０】
前記共通コンテンツを前記共通関心事ネットワークにリアルタイムで提供することは、前記コンテンツ生成インターフェースを提供し、前記ユーザが前記コンテンツ生成インターフェースに入力したコンテンツ生成情報に基づいて前記共通コンテンツを生成して前記共通関心事ネットワークに提供することを含んでもよい。
【００１１】
前記共通コンテンツを前記共通関心事ネットワークにリアルタイムで提供することは、前記共通コンテンツのうち、前記ユーザが選択した共通コンテンツに関する詳細ページを提供し、前記ユーザの意見を共有するように提供することを含んでもよい。
【００１２】
前記共通コンテンツを前記共通関心事ネットワークにリアルタイムで提供することは、前記ユーザが選択した共通コンテンツの詳細ページに前記ユーザの意見を共有する意見共有インターフェースを提供し、前記ユーザが意見共有インターフェースに入力した意見を、前記詳細ページの一定の領域に前記共通コンテンツに関する情報と共に提供することを含んでもよい。
【００１３】
前記共通コンテンツを前記共通関心事ネットワークにリアルタイムで提供することは、それぞれの前記共通コンテンツに対して前記共通コンテンツが生成された時間、前記共通コンテンツが消える時間、および前記共通コンテンツに対して前記ユーザが推薦した回数を提供することを含んでもよい。
【００１４】
前記共通コンテンツを前記共通関心事ネットワークにリアルタイムで提供することは、それぞれの前記共通コンテンツに対し、前記共通コンテンツが提供された時間を基準として一定の速度で減少するゲージバーを提供することを含んでもよく、前記ゲージバーは、前記ユーザが入力したキーワードに対する共通コンテンツが作成される速度の増加に基づいて、一定基準以上の速度で減少してもよい。
【００１５】
前記共通コンテンツを前記共通関心事ネットワークにリアルタイムで提供することは、前記共通コンテンツが消える時間が近付く間または前記共通コンテンツに対するゲージバーが減少する間に、前記ユーザが前記共通コンテンツに対する推薦を選択した場合、前記推薦された共通コンテンツを再度提供することを含んでもよい。
【００１６】
前記共通コンテンツを前記共通関心事ネットワークにリアルタイムで提供することは、前記ユーザから入力されたキーワードに対応する検索結果を提供し、前記検索結果を含む検索結果領域のうちの一部の領域に、前記共通関心事ネットワークに該当する共通コンテンツをランキング順に提供することを含んでもよい。
【００１７】
前記キーワードを含む共通コンテンツを探索することは、前記入力されたキーワードに対応する前記共通コンテンツが存在するか否かを判断し、前記探索された共通コンテンツから予め設定された基準に基づいて共通コンテンツを抽出することを含んでもよい。
【００１８】
本発明の一実施形態に係るコンピュータシステムが情報を共有するように制御する命令（ｉｎｓｔｒｕｃｔｉｏｎ）を含むコンピュータで読み取り可能な媒体であって、前記命令は、ユーザが入力したキーワードを受信し、前記キーワードの入力に応答して、前記キーワードと関連する共通関心事ネットワークが生成されているか否かを判断し、前記共通関心事ネットワークが存在しないことが判断されると、前記キーワードに関連する共通関心事ネットワークを生成し、前記キーワードを含む共通コンテンツを探索及び／又は生成し、および前記共通コンテンツを前記共通関心事ネットワークにリアルタイムで提供することを含む方法によって前記コンピュータシステムを制御してもよい。
【００１９】
一実施形態に係る情報を共有するシステムであって、ユーザが入力したキーワードを受信する受信部、前記キーワードの入力に応答して、前記キーワードと関連する共通関心事ネットワークが生成されているか否かを判断する判断部、前記共通関心事ネットワークが存在しないことが判断されると、前記キーワードに関連する共通関心事ネットワークを生成する生成部、前記キーワードを含む共通コンテンツを探索する探索部、および前記探索された共通コンテンツ及び／又は生成した共通コンテンツを前記共通関心事ネットワークにリアルタイムで提供する提供部を備えてもよい。
【００２０】
前記提供部は、コンテンツ生成インターフェースを提供し、前記ユーザが前記コンテンツ生成インターフェースに入力したコンテンツ生成情報に基づいて共通コンテンツを生成し、前記生成した共通コンテンツを前記共通関心事ネットワークに提供してもよい。
【００２１】
前記提供部は、前記共通関心事ネットワークに提供された共通コンテンツのうち、前記ユーザが選択した共通コンテンツに関する詳細ページを提供し、前記ユーザの意見を共有するように提供してもよい。
【００２２】
前記提供部は、前記ユーザが選択した共通コンテンツの詳細ページに前記ユーザの意見を共有する意見共有インターフェースを提供し、前記ユーザが意見共有インターフェースに入力した意見を、前記詳細ページの一定の領域に前記共通コンテンツに関する情報と共に提供してもよい。
【００２３】
前記提供部は、それぞれの前記共通コンテンツに対して前記共通コンテンツが生成された時間、前記共通コンテンツが消える時間、および前記共通コンテンツに対して前記ユーザが推薦した回数を提供してもよい。
【００２４】
前記提供部は、それぞれの前記共通コンテンツに対し、前記共通コンテンツが提供された時間を基準として一定の速度で減少するゲージバーを提供し、前記ゲージバーは、前記ユーザが入力したキーワードに対する共通コンテンツが作成される速度の増加に基づいて、一定基準以上の速度で減少してもよい。
【００２５】
前記提供部は、前記共通コンテンツが消える時間が近付く間または前記共通コンテンツに対するゲージバーが減少する間に、前記ユーザが前記共通コンテンツに対する推薦を選択した場合、前記推薦された共通コンテンツを再度提供してもよい。
【００２６】
前記提供部は、前記ユーザが入力したキーワードに対応する検索結果を提供し、前記検索結果を含む検索結果領域のうちの一部の領域に、前記共通関心事ネットワークに該当する共通コンテンツをランキング順に提供してもよい。
【００２７】
前記探索部は、前記入力されたキーワードに対応する前記共通コンテンツが存在するか否かを判断し、前記探索された共通コンテンツから予め設定された基準に基づいて共通コンテンツを抽出してもよい。
【発明の効果】
【００２８】
一実施形態に係る情報共有システムは、ユーザが入力したキーワードに基づいて共通関心事ネットワークを生成することにより、ユーザの関心事を共有することが可能な環境を提供することができる。これにより、情報共有システムは、共通関心事ネットワークを利用して誰にでも開かれた空間を提供することができ、即時性と直観性を兼ね備えた共通コンテンツを提供することができる。
【００２９】
一実施形態に係る情報共有システムは、共通関心事ネットワークで生成された共通コンテンツをリアルタイムでランキング順に提供することにより、有益な情報の提供に寄与することができる。
【図面の簡単な説明】
【００３０】
【図１】一実施形態における、情報共有システムの共通関心事ネットワークの背景を示した図である。
【図２】一実施形態における、情報共有システムの概括的な動作を説明するための図である。
【図３】一実施形態における、情報共有システムの内部構成を説明するためのブロック図である。
【図４】一実施形態における、情報共有システムでキーワードに基づいて共通関心事ネットワークが動作することを説明するための図である。
【図５】一実施形態における、情報共有システムでキーワードに基づいて共通関心事ネットワークが動作することを説明するための図である。
【図６】一実施形態における、情報共有システムでキーワードに基づいて共通関心事ネットワークが動作することを説明するための図である。
【図７】一実施形態における、情報共有システムの共通コンテンツを通じて情報を共有することを説明するための図である。
【図８】一実施形態における、情報共有システムの共通コンテンツを通じて情報を共有することを説明するための図である。
【図９】一実施形態における、情報共有システムで共通コンテンツを生成することを説明するための図である。
【図１０】一実施形態における、情報共有システムで共通コンテンツを生成することを説明するための図である。
【図１１】一実施形態における、情報共有システムでキーワードに基づいて共通関心事ネットワークが動作するさらに他の例を示した図である。
【図１２】一実施形態における、情報共有システムの情報共有方法を説明するためのフローチャートである。
【図１３】一実施形態における、情報共有システムの情報共有方法を説明するためのフローチャートである。
【図１４】一実施形態における、コンピュータシステムの内部構成の一例を説明するためのブロック図である。
【発明を実施するための形態】
【００３１】
以下、本発明の実施形態について、添付の図面を参照しながら詳しく説明する。
【００３２】
図１において、情報共有システムとは、例えば、コンテンツ、ショッピング、検索、ニュース、およびＳＮＳなどを包括したユーザの共通関心事ネットワーク環境を提供するためものである。情報共有システムは、検索サイトでショッピング、ニュース、および検索結果を提供するだけではなく、ユーザがＳＮＳでやり取りした情報のように、共通関心事ネットワークを生成してリアルタイムで情報を共有できるように提供する。ここで、共通関心事ネットワークとは、ユーザが関心を持つキーワードに関する情報を取り交わすための仮想空間であって、リアルタイムでキーワードに関する情報を共有することができる環境を意味する。共通関心事ネットワークは、ユーザ端末の表示画面などの表示部を介してユーザに提供される。
【００３３】
図２は、一実施形態における、情報共有システムの概括的な動作を説明するための図である。
【００３４】
情報共有システム２００とユーザ端末２１０は、ネットワーク２２０を介してデータを送受信してもよい。但し、ネットワークの構成は、図２に示したものよりもさらに多い、又はさらに少ない要素、コネクション、および相互作用を含んでもよい。
【００３５】
ネットワーク２２０は、データプロセッシングシステム、コンピュータ、サーバ、各種装置間の通信リンクを提供するために使用される媒体である。ネットワーク２２０は、情報共有システム２００とユーザ端末２１０とが互いに通信するためにＴＣＰ／ＩＰ（Ｔｒａｎｓｍｉｓｓｉｏｎ  Ｃｏｎｔｒｏｌ  Ｐｒｏｔｏｃｏｌ  Ｉｎｔｅｒｎｅｔ  Ｐｒｏｔｏｃｏｌ）プロトコルスイート（ｓｕｉｔｅ  ｏｆ  ｐｒｏｔｏｃｏｌｓ）を使用するネットワークおよびゲートウェイのワールドワイドコレクションであってもよい。一例として、ネットワーク２２０は、イントラネット、ＬＡＮ（ｌｏｃａｌ  ａｒｅａ  ｎｅｔｗｏｒｋ）、またはＷＡＮ（ｗｉｄｅ  ａｒｅａ  ｎｅｔｗｏｒｋ）を含んでもよいし、その一部であってもよい。一例として、ネットワーク２２０は、インターネットの一部であってもよい。
【００３６】
ユーザ端末２１０は、ＰＣ、ノート型パンコン、スマートフォン（ｓｍａｒｔ  ｐｈｏｎｅ）、タブレット（ｔａｂｌｅｔ）、ウェアラブルコンピュータ（ｗｅａｒａｂｌｅ  ｃｏｍｐｕｔｅｒ）などであって、情報共有システム２００と関連するウェブ／モバイルサイトへの接続、またはサービス専用アプリケーションのインストールおよび実行が可能なすべての端末装置を意味してもよい。ここで、ユーザ端末２１０は、ウェブ／モバイルサイトまたは専用アプリケーションの制御下で、サービス画面の構成、データ入力、データ送受信、データ格納などのようなサービス全般の動作を実行する。
【００３７】
情報共有システム２００は、検索サービスを提供する検索プラットフォーム上に実現されてもよく、検索サービスを利用するクライアント（ｃｌｉｅｎｔ）であるユーザ端末２１０を対象に、検索サイト上で共通関心事ネットワークを共有する環境を提供する。ここで、情報共有システム２００は、検索サイト上にて、共通コンテンツに対するコンテンツの推薦、コンテンツ情報の共有機能などを提供してもよい。
【００３８】
情報共有システム２００は、検索サービスを提供する検索サーバ（図示せず）のプラットフォームに含まれる形態で実現されてもよいが、これに限定されることはなく、検索サーバとは別のシステムによって構築され、検索サーバとの連動によって共通関心事ネットワークを管理する形態で実現されることも可能である。さらに、情報共有システム２００は、少なくとも一部の構成要素がユーザ端末２１０上にインストールされているアプリケーションの形態で実現されてもよいし、クライアント−サーバ環境でサービスを提供するプラットフォームに含まれる形態で実現されることも可能である。
【００３９】
図３は、一実施形態における、情報共有システムの内部構成を説明するためのブロック図である。
【００４０】
本実施形態における情報共有システム３００は、プロセッサ３１０、バス３２０、ネットワークインターフェース３３０、メモリ３４０、およびデータベース３５０を備える。メモリ３４０は、オペレーティングシステム３４１およびサービス提供ルーチン３４２を含む。プロセッサ３１０は、受信部３１１、判断部３１２、生成部３１３、探索部３１４、および提供部３１５を含む。情報共有システム３００の構成は、以上に述べた構成に限定されない。他の実施形態において、情報共有システム３００は、図３の構成要素よりもさらに多くの構成要素を備えてもよい。しかし、大部分の従来技術的な構成要素を明確に図に示す必要はない。例えば、情報共有システム３００は、ディスプレイやトランシーバ（ｔｒａｎｓｃｅｉｖｅｒ）のような他の構成要素を備えてもよい。
【００４１】
メモリ３４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記録装置（ｐｅｒｍａｎｅｎｔ  ｍａｓｓ  ｓｔｏｒａｇｅ  ｄｅｖｉｃｅ）であってもよい。また、メモリ３４０には、オペレーティングシステム３４１およびサービス提供ルーチン３４２のためのプログラムコードが格納されていてもよい。このようなソフトウェア構成要素は、ドライブメカニズム（ｄｒｉｖｅ  ｍｅｃｈａｎｉｓｍ）（図示せず）を利用してメモリ３４０とは別のコンピュータで読み取り可能な記録媒体からロードされてもよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体（図示せず）であってもよい。他の実施形態において、ソフトウェア構成要素は、コンピュータで読み取り可能な記録媒体ではないネットワークインターフェース３３０を利用してメモリ３４０にロードされてもよい。
【００４２】
バス３２０は、情報共有システム３００の構成要素間の通信およびデータ送信を可能にする。バス３２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてもよい。
【００４３】
ネットワークインターフェース３３０は、情報共有システム３００をコンピュータネットワークに接続するためのコンピュータハードウェア構成要素である。ネットワークインターフェース３３０は、イーサネット（登録商標）カードのようなネットワークインターフェースカード、光送受信機、無線送受信機、あるいは情報を送受信することのできる任意の他のタイプのデバイスであってもよい。このようなネットワークインターフェースの他の例は、モバイルコンピューティングデバイスおよびＵＳＢ内のブルートゥース（Ｂｌｕｅｔｏｏｔｈ（登録商標））、３Ｇ、およびＷｉ−Ｆｉなどを含む無線機器であってもよい。一例において、コンピューティングデバイスは、サーバ、モバイルフォン、あるいは他のネットワーク化されたコンピューティングデバイスのような外部デバイスと無線で通信するためにネットワークインターフェース３３０を使用してもよい。ネットワークインターフェース３３０は、情報共有システム３００を無線または有線接続を介してコンピュータネットワークに接続させてもよい。
【００４４】
データベース３５０は、キーワードに対応する共通コンテンツ情報などを管理するために必要なすべての情報を格納および保持する。データベース３５０は、キーワードと関連する共通関心事ネットワークをリアルタイムで生成するために必要な情報を格納し、ユーザによって共通関心事ネットワークに形成された共通コンテンツを通じて共有される情報を格納してもよい。図３では、情報共有システム３００の内部にデータベース３５０を構築して含むものが示されているが、これに限定されることはなく、システムの実現方式や環境などに応じて省略されてもよいし、全体または一部のデータベースが別の他のシステム上に構築された外部データベースとして存在することも可能である。
【００４５】
プロセッサ３１０は、基本的な計算、ロジック、および情報共有システム３００の入出力演算を実行することにより、コンピュータプログラムの命令を処理するように構成される。命令は、メモリ３４０またはネットワークインターフェース３３０によって、バス３２０を介してプロセッサ３１０に提供されてよい。プロセッサ３１０は、受信部３１１、判断部３１２、生成部３１３、探索部３１４、および提供部３１５のためのプログラムコードを実行するように構成されてよい。このようなプログラムコードは、メモリ３４０のような記録装置に格納されてもよい。
【００４６】
受信部３１１は、ユーザが入力したキーワードを受信する。
【００４７】
判断部３１２は、キーワードの入力に応答し、キーワードと関連する共通関心事ネットワークが生成されているか否かを判断する。
【００４８】
生成部３１３は、判断部３１２において共通関心事ネットワークが存在しないことが判断されると、キーワードに関連する共通関心事ネットワークを生成する。
【００４９】
探索部３１４は、生成された共通関心事ネットワークに対応する共通コンテンツを提供するために、キーワードを含む共通コンテンツを探索してもよい。探索部３１４は、入力されたキーワードに対応する共通コンテンツが存在するか否かを判断し、探索された共通コンテンツから予め設定された基準に基づいて共通コンテンツを抽出してもよい。探索部３１４で予め設定された基準とは、共通コンテンツのキーワードへの関連度、共通コンテンツに含まれるキーワードの個数などであってもよい。例えば、探索部３１４は、キーワードを含むカテゴリに該当する共通コンテンツを探索し、探索された共通コンテンツのうちでキーワードへの関連度が最も高い、或いは、共通コンテンツにキーワードが最も多く含まれている共通コンテンツを抽出してもよい。
【００５０】
提供部３１５は、探索された共通コンテンツを共通関心事ネットワークにリアルタイムで出力してもよい。提供部３１５は、共通関心事ネットワークに、ユーザが入力したキーワードに対応して探索された共通コンテンツおよび／又はユーザがコンテンツ生成インターフェースを利用して生成した共通コンテンツを提供してもよい。コンテンツ生成インターフェースは、共通関心事ネットワークで入力されたキーワードに対応する共通コンテンツを生成するためにユーザに提供される。提供部３１５は、コンテンツ生成インターフェースを提供し、ユーザがコンテンツ生成インターフェースに入力したコンテンツ生成情報に基づいて共通コンテンツを生成して共通関心事ネットワークに提供してもよい。
【００５１】
提供部３１５は、共通関心事ネットワークに提供された共通コンテンツのうち、ユーザが選択した共通コンテンツに関する詳細ページを提供し、ユーザが意見を共有できるように提供してもよい。提供部３１５は、ユーザが選択した共通コンテンツの詳細ページに、ユーザの意見を共有する意見共有インターフェースを提供し、ユーザが意見共有インターフェースに入力した意見を、詳細ページの一定の領域に共通コンテンツに関する情報と共に提供してもよい。
【００５２】
提供部３１５は、提供されたそれぞれの共通コンテンツに対して共通コンテンツが生成された時間、共通コンテンツが消える時間、および共通コンテンツに対してユーザが推薦した回数を提供してもよい。提供部３１５は、それぞれの共通コンテンツに対し、共通コンテンツが表示された時間を基準として一定の速度で減少していくゲージバーを提供してもよい。
【００５３】
提供部３１５は、共通コンテンツが消える時間が近付く間または共通コンテンツに対するゲージバーが減少する間に、ユーザが共通コンテンツに対する推薦を選択した場合、推薦された共通コンテンツを共通関心事ネットワークに再度提供してもよい。即ち、推薦された共通コンテンツは、ユーザ端末の表示部に再表示されてもよい。
【００５４】
提供部３１５は、ユーザが入力したキーワードに対応する検索結果を提供し、検索結果を含む検索結果領域のうちの一部の領域に、共通関心事ネットワークに対応する共通コンテンツをランキング順に提供してもよい。
【００５５】
図４〜図６は、一実施形態における、情報共有システムでキーワードに基づいて共通関心事ネットワークが動作することを説明するための図である。
【００５６】
情報共有システムは、インターネットポータルサイトのようなインターネット検索を提供するサイトにおいてキーワードに関連する共通関心事ネットワークを生成し、ユーザがリアルタイムで情報を共有することができる環境を提供してもよい。さらに、情報共有システムは、メッセンジャーサービスを提供するメッセンジャーアプリケーションにおいてキーワードに関連する共通関心事ネットワークを生成し、ユーザがリアルタイムで情報を共有することができる環境を提供してもよい。
【００５７】
図４において、ユーザが検索ウィンドウ４１１に「ＡＡ」というキーワード４１０を入力したと仮定する。情報共有システムは、ユーザが入力した「ＡＡ」というキーワード４１０を受信して、「ＡＡ」というキーワード４１０に関する共通関心事ネットワーク４２０が生成されているかを判断する。情報共有システムは、「ＡＡ」というキーワード４１０に関連する共通関心事ネットワーク４２０が生成されている場合には、共通関心事ネットワーク４２０に対応する共通コンテンツを提供するために、「ＡＡ」というキーワード４１０を含む共通コンテンツを探索してもよい。また、情報共有システムは、「ＡＡ」というキーワード４１０に関連する共通関心事ネットワーク４２０が生成されていない場合には、「ＡＡ」というキーワード４１０に関する共通関心事ネットワーク４２０を生成した後、ユーザが「ＡＡ」というキーワード４１０に対応する共通コンテンツを生成することができるコンテンツ生成インターフェースを提供してもよい。情報共有システムは、探索された共通コンテンツを共通関心事ネットワーク４２０にリアルタイムで提供してもよい。ここで、「ＡＡ」というキーワード４１０を含む共通コンテンツは、領域４３０にリアルタイムで提供されてもよい。
【００５８】
また、上述したように、情報共有システムは、メッセンジャーアプリケーションでキーワードに関連する共通関心事ネットワークを形成してもよく、ユーザが情報を共有できるように提供してもよい。例えば、ユーザがメッセンジャーアプリケーションに、現在中継されている「サッカーの試合」という特定のキーワードを入力すると、情報共有システムは、ユーザが入力した「サッカーの試合」に対するチャットルームあるいはコメントルームを生成することによって共通関心事ネットワークを形成してもよい。ユーザは、メッセンジャーアプリケーションで生成された「サッカーの試合」という共通関心事ネットワークを利用することにより、「サッカーの試合」に関する情報をリアルタイムで共有できるようになる。
【００５９】
情報共有システムは、検索サイトの別途のタブ、例えば、共通関心事ネットワークタブを提供してもよく、共通関心事ネットワークタブを利用することにより、ユーザがキーワードに対応する共通コンテンツを生成し、情報を共有することができる環境を提供してもよい。また、情報共有システムは、共通関心事ネットワークを提供するサイトまたはアプリケーションを提供することにより、共通コンテンツを生成し、情報を共有することができる環境を提供してもよい。
【００６０】
図５は、「ＡＡ」というキーワード５１０を含む共通コンテンツが共通関心事ネットワーク５２０に提供された例を示したものである図４を参照して説明したように、共通コンテンツは領域５３０に提供されてもよい。共通関心事ネットワーク５２０に提供された共通コンテンツのそれぞれには、共通コンテンツが生成された時間５４０、共通コンテンツが消える時間５５０、および共通コンテンツに対してユーザが推薦した回数５６０などが提供されてもよい。「ＡＡ」というキーワード５１０に対して複数の共通コンテンツが領域５３０に提供されてもよい。ここで、「ＡＡ」というキーワード５１０に対する第１共通コンテンツ５７０について説明する。第１共通コンテンツ５７０が生成された時間として２０１４年１２月１６日午後３時１０分、第１共通コンテンツ５７０が消える時間として９分４０秒後、第１共通コンテンツ５７０に対して推薦された回数として０（図５では復活回数と表記）が表示されてもよい。
【００６１】
さらに、情報共有システムは、共通コンテンツが消える時間を、例えば、ゲージバー形態で提供してもよい。ここで、ゲージバーは、時間自体は表示しないが、一定基準の速度で減少する形態を有してもよい。このとき、情報共有システムは、ユーザが特定のキーワードに対応する共通コンテンツを生成する速度の増加に基づき、ゲージバーが一定基準の速度よりも速い速度で減少させてもよく、一定基準の速度よりも遅い速度で減少させてもよい。図５において、復活回数は、ユーザが共通コンテンツを選択したり推薦したりすることにより、共通コンテンツを再表示させた回数を示す。ここで、情報共有システムは、ユーザによって新たに生成された共有コンテンツが推薦数の高い共通コンテンツと共に提供されるように、領域５３０に新たに生成された共有コンテンツだけが提供される一部の領域を提供してもよい。
【００６２】
一実施形態に係る情報共有システムは、共通関心事ネットワークアプリケーションを利用してキーワード別の人気リストをユーザに提供することができ、ユーザが入力したキーワードに基づいてユーザが情報を共有できるようにすることができる。
【００６３】
図６を参照すると、情報共有システムでは、「ＡＡ」というキーワードに基づいて提供される共通コンテンツに対し、共通コンテンツが生成された時間の比較にしたがってランキング順位をつけている。
【００６４】
例えば、情報共有システムにおいて、「ＡＡ」というキーワードに基づいて入力された共通コンテンツは、ここ最近に共通コンテンツが生成された時間順に提供されてもよい。ここで、生成された共通コンテンツが他のユーザによって推薦された場合には、共通関心事ネットワークの上位に再度提供されてもよい。「ＡＡ」というキーワードに対する共通コンテンツが生成された時間として、２０１４年１２月１６日午後３時１０分に生成された第１共通コンテンツ６１０と、２０１４年１２月１６日午後８時に生成された第２共通コンテンツ６２０があると仮定する。これによると、第２共通コンテンツ６２０が第１共通コンテンツ６１０よりも上位に表示されてもよい。このとき、第１共通コンテンツ６１０の推薦回数（復活回数）が第２共通コンテンツ６２０よりも多い場合には、第１共通コンテンツ６１０が第２共通コンテンツ６２０よりも上位に表示されてもよい。
【００６５】
一実施形態に係る情報共有システムは、共通コンテンツが生成された時間または推薦回数（復活回数）にしたがって表示される位置を変化させることができ、この他にも多様な基準にしたがって共通コンテンツの表示順位を変動させてもよい。
【００６６】
図７〜図８は、一実施形態における、情報共有システムの共通コンテンツを通じて情報を共有することを説明するための図である。
【００６７】
図７を参照すると、情報共有システムは、ユーザ７３０が共通コンテンツを選択７２０したことにより、選択された共通コンテンツに対する意見共有インターフェースを提供してもよい。情報共有システムは、選択された共通コンテンツに関する情報を提供すると同時に、選択された共通コンテンツに対する意見共有インターフェースを提供してもよい。このとき、情報共有システムは、ユーザ７３０が意見共有インターフェースに入力した意見を、共通コンテンツの詳細ページの一定の領域に、共通コンテンツに関する情報と共に提供してもよい。
【００６８】
情報共有システムは、「ＡＡ」というキーワードに関連する共通関心事ネットワークに出力された共通コンテンツを提供してもよい。ユーザ７３０が、共通関心事ネットワークに出力された共通コンテンツのうち、第１共通コンテンツ７１０を選択７２０したと仮定する。情報共有システムは、第１共通コンテンツ７１０に関する詳細ページを提供してもよい。ここで、第１共通コンテンツ７１０に関する詳細ページには、第１共通コンテンツ７１０に関する情報と共に、意見を共有することができるインターフェースが提供されてもよい。
【００６９】
図８を参照すると、情報共有システムは、キーワードに関連する共通関心事ネットワークに出力された共通コンテンツのうち、ユーザから共通コンテンツが選択されることにより、選択された共通コンテンツに関する詳細ページ８１０を提供してもよい。
【００７０】
例えば、図７で説明したように、「ＡＡ」というキーワード７１０に対する共通コンテンツのうち、第１共通コンテンツ７１０が選択７２０されると、図８に示すように第１共通コンテンツ７１０に関する詳細ページ８１０が提供される。詳細ページ８１０には、キーワード「ＡＡ」に関する情報を提供する情報領域８２０、提供された情報に対する意見を共有することができる入力ウィンドウ８３０、入力された意見を表示する意見共有ウィンドウ８３１、および提供された情報または意見などを推薦することができるおすすめボタン８４０などが提供されてもよい。ここで、意見共有ウィンドウ８３１は、ユーザが自由に意見を共有できるように提供することにより、リアルタイムで状況に応じた情報を共有できるようになる。
【００７１】
例えば、情報共有システムが、現在放映されているドラマ「Ｄ」に対する共通関心事ネットワークを生成したと仮定する。ドラマ「Ｄ」に対する共通関心事ネットワークには、ドラマ「Ｄ」の内容、ドラマ「Ｄ」に登場する登場人物などのような多様な共通コンテンツが存在するようになる。ユーザが、ドラマ「Ｄ」に関する共通関心事ネットワークを利用して登場人物「Ｅ」が着用している服に対して共通コンテンツを生成したとする。情報共有システムは、ユーザが最初に入力した登場人物「Ｅ」が着用している服に関する情報を提供してもよく、登場人物「Ｅ」が着用している服に関する詳細ページ８１０で、ユーザ間にてリアルタイムで、登場人物「Ｅ」が着用している服、靴、髪型なども共有できるようになる。
【００７２】
図９〜図１０は、一実施形態における、情報共有システムで共通コンテンツを生成することを説明するための図である。
【００７３】
情報共有システムは、ユーザが入力したキーワードを受信し、キーワードと関連する共通関心事ネットワークが生成されていないことが判断されると、入力されたキーワードに関連する共通関心事ネットワーク９２０を生成する。情報共有システムは、共通関心事ネットワーク９２０で入力されたキーワードに対応する共通コンテンツを生成するためのコンテンツ生成インターフェース９３０を提供してもよい。
【００７４】
例えば、ユーザが情報共有システムの検索ウィンドウ９１１に「ＢＢ」というキーワード９１０を入力したと仮定する。情報共有システムは、「ＢＢ」というキーワード９１０に関連する共通関心事ネットワークが生成されているかを判断し、「ＢＢ」というキーワード９１０と関連する共通関心事ネットワークが生成されていない場合、「ＢＢ」というキーワード９１０に関連する共通関心事ネットワーク９２０を生成してもよい。情報共有システムは、「ＢＢ」というキーワード９１０に対応する共通コンテンツを生成するコンテンツ生成インターフェース（図９においては、「コンテンツ生成」と表示）９３０を提供してもよい。
【００７５】
図１０を参照すると、情報共有システムは、キーワードに基づいた共通関心事ネットワークにコンテンツ生成インターフェースを提供し、ユーザがコンテンツ生成インターフェースに入力したコンテンツ生成情報に基づいて共通コンテンツを生成して共通関心事ネットワークに提供してもよい。
【００７６】
例えば、情報共有システムは、「ＢＢ」というキーワード９１０に対応する共通コンテンツを生成するコンテンツ生成インターフェース（図１０において、「コンテンツ生成」と表示）を提供してもよい。ユーザ１０２０は、コンテンツ生成インターフェースを選択１０１０してもよく、情報共有システムは、ユーザ１０２０がコンテンツ生成インターフェースが選択１０１０されたことにより、共通コンテンツを生成するためのインターフェースを提供してもよい。ここで、ユーザがコンテンツ生成インターフェースにキーワードに関する情報および意見などを入力することによって共通コンテンツ１０３０が生成され、「ＢＢ」というキーワードに関連する共通関心事ネットワークに、ユーザが生成した共通コンテンツ１０３０が図１０のように提供されてもよい。同じように、コンテンツ生成インターフェースを利用して生成された共通コンテンツ１０３０にも、共通コンテンツが生成された時間、共通コンテンツが消える時間、共通コンテンツに対してユーザが推薦した回数などが共に提供されてもよい。
【００７７】
図１１は、一実施形態における、情報共有システムでキーワードに基づいて共通関心事ネットワークが動作するさらに他の例を示した図である。
【００７８】
情報共有システムは、ユーザが入力したキーワードに対応する検索結果を提供し、検索結果に含まれる検索結果領域のうちの一部の領域に、共通関心事ネットワークに該当する共通コンテンツをランキング順に提供してもよい。
【００７９】
例えば、情報共有システムにおいて、ユーザから「ＡＡ」というキーワードが入力されたと仮定する。情報共有システムは、「ＡＡ」というキーワードに対応する全体検索結果を提供すると同時に、「ＡＡ」というキーワードに関連する共通関心事ネットワーク領域１１１０には、「ＡＡ」というキーワードに対応する共通コンテンツを提供してもよい。さらに、情報共有システムは、「ＡＡ」というキーワードに対応するニュース、「ＡＡ」というキーワードに対応するブログ、「ＡＡ」というキーワードに対応するグループコメントなどを領域１１２０に提供してもよい。ここで、「ＡＡ」というキーワードに関する共通関心事ネットワーク領域１１１０に提供される共通コンテンツは、ランキング順に提供されてもよい。このとき、ランキングは、予め設定された基準、例えば、共通コンテンツが生成された時間、生成された共通コンテンツに対する推薦数などに基づいて順位が決められてもよく、決められた順位にしたがって全体検索結果に提供されてもよい。
【００８０】
情報共有システムにおいて、全体検索結果を提供するウィンドウに提供される共通関心事ネットワーク領域１１１０は、例えば、１位、２位、および３位の共通コンテンツだけが表示されるため、共通関心事ネットワークに形成された「ＡＡ」というキーワードに対する４位以下の共通コンテンツは表示されない。そこで、共通関心事ネットワークへ移動することができるインターフェースを提供してもよい。図１１に示すように「Ｃへ移動」と示されたインターフェース１１３０を選択することによって共通関心事ネットワークに移動し、４位以下の共通コンテンツが閲覧できるようにしてもよい。
【００８１】
一実施形態に係る情報共有システムは、共通コンテンツが作成された直後に提供するため、リアルタイムでユーザの反応を判断することができ、リアルタイムで提供された共通コンテンツによって透明性のある現在の状況情報を提供することができる。さらに、情報共有システムは、共通コンテンツの表示時間が限定されているため、供給者の立場では検索画面を効率的に使用することができ、ユーザの立場ではユーザが生成した共通コンテンツを維持させるための機会を提供することができる。
【００８２】
一実施形態に係る情報共有システムは、ユーザが生成した共通コンテンツが推薦されることによって再度提供されるという特徴に基づいてユーザに興味を誘発させることにより、他のユーザを流入させることができる。
【００８３】
図１２〜図１３は、一実施形態に係る情報共有システムの情報共有方法を説明するためのフローチャートである。
【００８４】
ステップ１２１０で、情報共有システムは、ユーザが入力したキーワードを受信する。
【００８５】
ステップ１２２０で、情報共有システムは、ユーザが入力したキーワードと関連する共通関心事ネットワークが存在するか否かを判断する。ここで、情報共有システムは、キーワードと関連する共通関心事ネットワークが存在する場合には、キーワードを含む共通コンテンツを探索し（１２４０）、キーワードと関連する共通関心事ネットワークが存在しない場合には、キーワードに関連する共通関心事ネットワークを生成する（１２３０）。
【００８６】
ステップ１２４０で、情報共有システムは、生成された共通関心事ネットワークに共通コンテンツを提供するために、キーワードを含む共通コンテンツを探索する。例えば、情報共有システムは、キーワードを含む共通コンテンツを予め設定された基準に基づいて抽出してもよい。ここで、キーワードに対応する共通コンテンツが存在しない場合には、図１３に示すように、情報共有システムは、コンテンツ生成インターフェースを提供し（１３１０）、ユーザがコンテンツ生成インターフェースに入力したコンテンツ生成情報に基づいて共通コンテンツを生成する（１３２０）。ここで、情報共有システムは、入力されたキーワードに対応する共通コンテンツが存在しない場合だけではなく、入力されたキーワードに対応する共通コンテンツが存在する場合にも、コンテンツ生成インターフェースを提供してもよい。例えば、ユーザが入力したキーワードに対するさらに他の共通コンテンツを生成したい場合に備えて共通コンテンツ生成インターフェースを提供してもよい。
【００８７】
ステップ１２５０で、情報共有システムは、探索された共通コンテンツを共通関心事ネットワークにリアルタイムで提供してもよい。
【００８８】
ステップ１２６０で、情報共有システムは、予め設定された時間内にユーザから共通コンテンツが推薦されたか否かを判断する。ここで、情報共有システムは、それぞれの共通コンテンツに対する予め設定された時間内にユーザから推薦がなされた場合には、推薦された共通コンテンツを共通関心事ネットワークに再度提供してもよく、予め設定された時間内に共通コンテンツが推薦されなかった場合には、当該プロセスを終了する。
【００８９】
図１４は、本発明の一実施形態におけるコンピュータシステムの内部構成の一例を説明するためのブロック図である。
【００９０】
図１４に示すように、コンピュータシステム１４００は、少なくとも１つのプロセッサ１４１０、メモリ１４２０、周辺装置インターフェース（ｐｅｒｉｐｈｅｒａｌ  ｉｎｔｅｒｆａｃｅ）１４３０、入力／出力サブシステム（Ｉ／Ｏ  ｓｕｂｓｙｓｔｅｍ）１４４０、電力回路１４５０、および通信回路１４６０を備える。ここで、コンピュータシステム１４００は、ユーザ端末に該当してよい。
【００９１】
メモリ１４２０は、一例として、高速ＲＡＭ、磁気ディスク、ＳＲＡＭ、ＤＲＡＭ、ＲＯＭ、フラッシュメモリ、または不揮発性メモリであってもよい。メモリ１４２０は、コンピュータシステム１４００の動作に必要なソフトウェアモジュール、命令語集合、またはその他にも多様なデータを含んでもよい。ここで、プロセッサ１４１０や周辺装置インターフェース１４３０などの他のコンポーネントからメモリ１４２０へのアクセスは、プロセッサ１４１０によって制御される。
【００９２】
周辺装置インターフェース１４３０は、コンピュータシステム１４００の入力周辺装置および／または出力周辺装置をプロセッサ１４１０およびメモリ１４２０に接続させる。プロセッサ１４１０は、メモリ１４２０に格納されたソフトウェアモジュールまたは命令語集合を実行し、コンピュータシステム１４００のための多様な機能を実行してデータを処理する。
【００９３】
入力／出力サブシステム１４４０は、多様な入力／出力周辺装置を周辺装置インターフェース１４３０に接続させる。例えば、入力／出力サブシステム１４４０は、モニタやキーボード、マウス、プリンタ、または必要に応じてタッチスクリーンやセンサなどの周辺装置を周辺装置インターフェース１４３０に接続させるためのコントローラを含んでよい。他の形態によると、入力／出力周辺装置は、入力／出力サブシステム１４４０を介さずに周辺装置インターフェース１４３０に接続されてもよい。
【００９４】
電力回路１４５０は、端末機のコンポーネントの全部または一部に電力を供給する。例えば、電力回路１４５０は、電力管理システム、バッテリや交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【００９５】
通信回路１４６０は、少なくとも１つの外部ポートを利用して他のコンピュータシステムとの通信を可能にしてもよい。または、上述したように、必要に応じて、通信回路１４６０はＲＦ回路を含み、電磁信号（ｅｌｅｃｔｒｏｍａｇｎｅｔｉｃ  ｓｉｇｎａｌ）とも知られているＲＦ信号を送受信することにより、他のコンピュータシステムとの通信を可能にしてもよい。
【００９６】
このような図１４の実施形態は、コンピュータシステム１４００の一例に過ぎず、コンピュータシステム１４００は、図１４に示されたコンポーネントの一部が除去されてもよいし、図１４には示されていない追加のコンポーネントをさらに備えてもよいし、２つ以上のコンポーネントを接続させる構成または配置を有してもよい。例えば、モバイル環境の通信端末のためのコンピュータシステムは、図１４に示されたコンポーネントの他にも、タッチスクリーンやセンサなどをさらに備えてもよく、通信回路１４６０には、多様な通信方式（ＷｉＦｉ（登録商標）、３Ｇ、ＬＴＥ、Ｂｌｕｅｔｏｏｔｈ（登録商標）、ＮＦＣ、Ｚｉｇｂｅｅ（登録商標）など）のＲＦ通信のための回路が備えられてもよい。コンピュータシステム１４００に備わるコンポーネントは、１つ以上の信号処理またはアプリケーションに特化した集積回路を含むハードウェア、ソフトウェア、またはハードウェアとソフトウェアとの組み合わせによって実現されてもよい。
【００９７】
本発明の実施形態に係る方法は、多様なコンピュータシステムによって実行可能なプログラム命令の形態で実現され、コンピュータで読み取り可能な媒体に記録されてもよい。特に、本実施形態に係るプログラムは、ＰＣ基盤のプログラムまたはモバイル端末専用のアプリケーションで構成されてもよい。本発明が適用されるメッセンジャアプリは、独立に動作するプログラム形態で実現されてもよいし、特定のアプリケーションのイン−アプリ（ｉｎ−ａｐｐ）形態で構成され、前記特定のアプリケーション上で動作可能なように実現されてもよい。また、このようなアプリケーションは、ファイル配布システムが提供するファイルによってユーザ端末機にインストールされてもよい。一例として、ファイル配布システムは、ユーザ端末機の要請に応じて前記ファイルを送信するファイル送信部（図示せず）を備えてもよい。
【００９８】
このように、実施形態に係る情報共有システムは、キーワードに基づく共通関心事ネットワークを土台として共通コンテンツを生成して提供することにより、より迅速にリアルタイムで情報を共有することができる。さらに、情報共有システムは、共通関心事ネットワークを利用することにより、ユーザ間に主観的かつ率直な情報共有を成立させることができる。
【００９９】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置といった、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してもよい。また、処理装置は、ソフトウェアの実行に応答して、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【０１００】
ソフトウェアは、コンピュータプログラム、コード、命令、またはこれらのうちの１つ以上の組み合わせを含んでもよく、所望するとおりに動作するように処理装置を構成してもよく、独立的または集合的に（ｃｏｌｌｅｃｔｉｖｅｌｙ）処理装置に命令してもよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されて実行されてもよい。ソフトウェアおよびデータは、１つ以上のコンピュータで読み取り可能な記録媒体に格納されてもよい。
【０１０１】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【０１０２】
以上のように、実施形態を、限定された実施形態と図面に基づいて説明したが、当業者であれば、上述した記載から多様な修正および変形が可能である。例えば、説明された技術が、説明された方法とは異なる順序で実行されたり、及び／又は、説明されたシステム、構造、装置、回路などの構成要素が、説明された方法とは異なる形態で接続されたりまたは組み合わされたり、他の構成要素または均等物によって対置されたり置換されたとしても、適切な結果を達成することができる。
【０１０３】
したがって、異なる実施形態であっても、特許請求の範囲と均等なものであれば、添付される特許請求の範囲に属する。
【符号の説明】
【０１０４】
２００：情報共有システム
２１０：ユーザ端末
２２０：ネットワーク
【図１】
2016173818.tif 000003
【図２】
2016173818.tif 000004
【図３】
2016173818.tif 000005
【図４】
2016173818.tif 000006
【図５】
2016173818.tif 000007
【図６】
2016173818.tif 000008
【図７】
2016173818.tif 000009
【図８】
2016173818.tif 000010
【図９】
2016173818.tif 000011
【図１０】
2016173818.tif 000012
【図１１】
2016173818.tif 000013
【図１２】
2016173818.tif 000014
【図１３】
2016173818.tif 000015
【図１４】
2016173818.tif 000016